(57)【要約】【課題】本発明の目的は、ＩＣカードとオンラインユーザインタフェイスシュミレータを利用することにより、使用方法が複雑化した多機能コピア等の電子機器を公共の場所で使用する際に、容易に、そして、能率的に利用できる環境を提供することである。【解決手段】１、ネットワークに接続してデータ通信する手段。２、ＩＣカードやメモリカード等の小型記憶媒体や携帯電話や電子手帳等の携帯電子機器とのデータアクセス手段。３、２で読み取ったＵＲＬアドレスが示すＷｅｂサイトにアクセスして、そのサイトに格納されているデータをダウンロードする手段。４、多機能コピー機の操作画面をシミュレーションするプログラムをネット端末から利用する手段。５、２または３の手段でアクセスまたはダウンロードして得たデータをもとに、ユーザインターフェイスの操作環境を設定したり、各種パラメータ入力操作を自動化する手段。【選択図】        図１
2004186961.tif 000002
【特許請求の範囲】
【請求項１】
表示機能と通信機能と印刷機能を備える電子機器であって、
ＩＣカードや携帯電話等の携帯型小型電子機器と接続してアクセスする手段と、
ネット端末からネット上の本電子機器のユーザインターフェイスの動作をシュミレートするプログラムを利用する手段と、
上記シミュレーションの実行で得られたパラメータデータ群を、ネット上のユーザが指定する記憶領域上に格納する手段と、
上記パラメータデータ群を格納したネット上のアドレスをＩＣカード内の記憶領域に格納する手段と、
上記シミュレーションの実行で得られたパラメータデータ群をＩＣカード上に格納する手段と、
上記ＩＣカード上に格納されているネットアドレス情報から、上記ネット上のユーザが指定する記憶領域にアクセスして上記パラメータデータ群を呼び出して、ユーザインターフェイスの対応するパラメータを設定する手段と、
上記ＩＣカード上の記憶領域に格納されているパラメータデータ群を呼び出して、ユーザインターフェイスの対応するパラメータを設定する手段と、
上記設定されたパラメータに従って処理を行う手段と
を有することを特徴とする多機能コピー機。
【発明の詳細な説明】
【０００１】
【発明の属する技術分野】
本発明は、多機能コピア等の電子機器のユーザインターフェイス画面を、ユーザが使いやすい環境に設定する機能を備えたシステム、および、その方法に関するものである。
【０００２】
【発明が解決しようとする課題】
近年、コピー機のスキャナ機能やプリンタ機能を利用すると共に、各種インターフェイスやネットワーク接続機能等を付加することによってコピー機の多機能化が図られている。
【０００３】
この多機能コピー機を公共の場に設置して利用する場合、健常者で電子機器の操作になれている人は多機能化の恩恵を受けることができるが、電子機器の操作になれていない人や、操作画面の表示文字の大きさや表示言語がユーザに適合していない人の場合、恩恵を受けることができない可能性が考えられる。また、コピー機の機能が増加したため、各種機能選択やパラメータ選択のための操作が増え、操作の煩雑性が生じている。
【０００４】
そこで、本発明が解決しようとしている課題は、多機能コピー機のユーザインターフェイスを改善することにより、各個人に適合した操作環境を提供することと、各機能を実行する際に、多機能コピー機の操作画面から入力するパラメータ入力操作を自動化して、操作の簡略化を実現することである。
【０００５】
（発明の目的）
本発明は、上記課題を解決することを目的とするもので、ＩＣカードやメモリカード等の小型記憶媒体や携帯電話や電子手帳等の携帯電子機器を介してデータ書き込みおよび読み込みを行なう機能と、ネットワークアクセス機能を多機能コピー機に備えることによって、これを実現しようとするものである。
【０００６】
【課題を解決するための手段】
本発明による多機能コピー機は，上記の目的を達成するための手段として、以下の構成を備える。
【０００７】
１、ネットワークに接続してデータ通信する手段。
【０００８】
２、ＩＣカードやメモリカード等の小型記憶媒体や携帯電話や電子手帳等の携帯電子機器とのデータアクセス手段。
【０００９】
３、２で読み取ったＵＲＬアドレスが示すＷｅｂサイトにアクセスして、そのサイトに格納されているデータをダウンロードする手段。
【００１０】
４、２または３の手段でアクセスまたはダウンロードして得たデータをもとに、ユーザインターフェイスの操作環境を設定したり、各種パラメータ入力操作を自動化する手段。
【００１１】
５、多機能コピー機の操作で、選択したユーザインターフェイス画面を上記小型記憶媒体や携帯電子機器に格納したり、小型記憶媒体や携帯電子機器に格納されたＵＲＬアドレスが示す記憶領域に格納する手段。
【００１２】
６、多機能コピー機の操作画面をシミュレーションするプログラムをネット端末から利用する手段。
【００１３】
７、６で選択、パラメータ入力した操作画面を、ネット上の指定したアドレスに格納する手段。
【００１４】
８、６で選択、パラメータ入力した操作画面を、上記小型記憶媒体や携帯電子機器に格納する手段。
【００１５】
【発明の実施の形態】
以下，本発明の実施例を図面を参照して詳細に説明する。
【００１６】
図１は、本発明の一実施例を示す印刷システムの構成を説明するブロック図であり、印刷システム２は入力制御部１００、インターフェイス１０１、スキャナ装置１１１、タッチパネルキーボード１１２、ＩＣカード読み取り装置１１３、印刷制御部３００、印刷装置本体３０７等で構成されており、課金機能およびネットワーク接続機能を備えた装置１がインターフェイス１０１を介して入力制御部１００と接続され、また、入力制御部１００と印刷制御部３００とは内部接続ケーブル２００を介して接続されている。
【００１７】
なお、装置１は、例えば、現金、クレジットカード、デビッドカード（キャッシュカード）等を受け付けキャッシングする機能を備えており、必要があればネットワーク接続してＮＴＴデータ通信株式会社（商標）のＣｒｅｄｉｔ  ＡｎｄＦｉｎａｎｃｅ  Ｉｎｆｏｒｍａｔｉｏｎ  Ｓｙｓｔｅｍ（ＣＡＦＩＳ）やその他のシステムを利用できるようになっている。
【００１８】
図において、１０２は通信制御コントローラで、インターフェイス１０１を介して転送される各種データの入力の受信、転送、格納等の制御を行なう。
【００１９】
１０３はマイクロプロセッサ形態の中央処理装置（ＣＰＵ）であり、例えば図示しないクロックパルス発生回路、遅延回路、ゲート回路、その他の論理回路などを有する順序回路等から構成される。
【００２０】
１０４は、ＯＳ（オペレーティングシステム）や各種制御ソフト等が内蔵された読み出し専用メモリ（ＲＯＭ）で、ＣＰＵが各部に制御信号を供給する際に、制御信号をＣＰＵに順次知らせるためのマイクロ命令群が記憶されている。
【００２１】
１０５は読み書き可能なランダムアクセスメモリ（ＲＡＭ）であり、各装置の動作状況を記憶する領域を有するとともに、入力画像データを格納する記憶領域を有する。
【００２２】
１０６〜１０９は、それぞれスキャナコントローラ、タッチパネルキーボードコントローラ、ＩＣカードアクセス装置用コントローラ、プリンタコントローラであり、各装置の制御を行なう。
【００２３】
１１０はバスラインで、ＣＰＵ１０３、ＲＯＭ１０４、ＲＡＭ１０５、および１０２、１０６〜１０９の各種コントローラを電気的に接続し、メモリアドレスやデータを転送する。
【００２４】
１０１は課金機能付きネットワーク接続装置１に接続して各種データを受信するための入力インターフェイスである。
【００２５】
３０１は、印刷制御部側のＣＰＵであり、上記１０３のＣＰＵと同様の構成と機能を備えている。
【００２６】
３０２は、読み書き可能なランダムアクセスメモリ（ＲＡＭ）であり、各装置の動作状況や後述のページメモリ上に展開された印刷ビットマップイメージデータを記憶する領域を有する。
【００２７】
３０３は、読み出し専用メモリ（ＲＯＭ）で、ＣＰＵが各部に印刷制御信号を供給する際に、その制御信号をＣＰＵに順次知らせるためのマイクロ命令群が記憶されている。
【００２８】
３０４は、入力バッファであり、上記プリンタコントローラから送信されてきた印刷データを格納する記憶装置である。
【００２９】
３０５は、印刷ビットマップイメージを格納するページメモリであり、作成された印刷ビットマップイメージはエンジンインターフェイス３０６を介して印刷部本体３０７に転送される。
【００３０】
図２１は、本発明を適用可能な出力装置を示す断面図であり、例えばカラーレーザビームプリンタ（カラーＬＢＰ）の場合を示す。
【００３１】
図において、７４０はＬＢＰ本体であり、外部に接続されているホストコンピュータから供給される印刷情報（文字コード等）を入力して記憶するとともに、それらの情報にしたがって対応する文字パターンやグラフィックパターン等を作成し、記録媒体である印刷用紙等に像を形成する。７００はＬＣＤやキーボードが配されている操作パネルで、図１上の９に対応する。７０１はプリンタの制御ユニット（図１の１〜７に示した印刷制御装置に対応する）で、ＬＢＰ本体７４０全体の制御およびホストコンピュータから供給される文字情報等を解析する。このプリンタ制御ユニット７０１は、主に文字情報に対応する文字パターンのビデオ信号に変換してレーザドライバ７０２に出力する。
【００３２】
レーザドライバ７０２は半導体レーザ７０３を駆動するための回路であり、入力されたビデオ信号に応じて半導体レーザ７０３から発射されるレーザ光７０４をオン・オフ切り替えする。レーザ光７０４は回転多面鏡７０５で左右方向に振らされて静電ドラム７０６上を走査露光する。これにより、静電ドラム７０６上には文字パターンの静電潜像が形成されることになる。この潜像は、静電ドラム７０６周囲に配置された現像ユニット７０７により現像された後、記録紙に転写される。この記録紙にはカットシートを用い、カットシート記録紙はＬＢＰ本体７４０に装着した用紙カセット７０８に収納され、給紙ローラ７０９より搬送ローラ７１０と搬送ローラ７１１とにより、装置内に取り込まれて、静電ドラム７０６に供給される。そして、現像器７０７によって静電ドラム７０６上に付着されたトナー像は、搬送されてきた記録紙に転写される。その後、記録紙は定着器７１２方向に搬送され、トナーが定着され、最終的に排紙ローラ７１３によって外部に導かれて外部に排紙される。なお、上記現像器７０７や静電ドラム７０６等は例えばＣ（シアン）Ｍ（マゼンダ）Ｙ（イエロウ）Ｋ（ブラック）の色素ごとに処理を行ないカラー印刷が可能となるように構成されている。
【００３３】
以下、一実施例として、図３上のＩＣカードリーダライター付きＰＣから、ネットワークを介してＭＦＰのＵＩＦシュミレーションサーバプログラムを起動し、図３上のＩＣカードリーダライター付きＭＦＰ用のＵＩＦシュミレーションプログラムを実行して各種パラメータ設定を行う（▲１▼）。そして、その設定結果データをネットワーク上のユーザのホームページ上に格納して（▲２▼）、そのホームページのＵＲＬアドレスをＩＣカードに書き込んだ後（▲３▼）、そのＩＣカード上のＵＲＬアドレスデータをＩＣカードリーダライター付きＭＦＰのＩＣカードリーダから読み込み（▲４▼）、そのＵＲＬアドレスが示すホームページからユーザ設定データを読み込んで（▲５▼）ユーザ環境を設定する手順について、図１〜図１４の参照図面と図１９、図２０のフローチャートを参照して説明する。
【００３４】
まず、図３上のＩＣカードリーダライター付きＰＣからネットワークを介して本実施例のＭＦＰのＵＩＦシュミレーションサーバプログラムを起動するために、例えば、図４に示すブラウザ上のブックマークメニューの中から、本実施例のＭＦＰであるＡ社製ＭＦＰ２００２Ａ１のブックマークを選択する。
【００３５】
すると、ＭＦＰのシュミレーションサーバ上のシュミレーションプログラムの処理のフローチャートを示す図１９のステップＳ１を実行するので、本実施例のＭＦＰであるＡ社製ＭＦＰ２００２Ａ１のＵＩＦシュミレーションプログラムが実行され、図５に示される表示を行う。
【００３６】
ここで使用言語を選択する場合には、図１９のステップＳ２が実行されるので、“使用言語＝日本語“を選択することにより、図６に示すようなプルダウンメニュー表示が行われ、使用言語を選択することが出来る。
【００３７】
そして、図６で“選択“を選択すると、シュミレーションプログラムがその信号を受信して、図７に示す表示を行うための表示データを送信するので、図７に示す表示が行われる。
【００３８】
次に、図７で“行政サービス申請”表示を選択すると、図１９においてステップＳ２、Ｓ３、Ｓ４と移行し、図８に示す表示を行う。
【００３９】
そこで、申請自治体名＝“東京都”、住民基本台帳番号＝“２００２ＡＢＣ０００１”等を入力した後、“申請”表示部分を選択すると図９に示すプルダウンメニュー表示が行われるので、“住民票”を選択する。そして、“本画面記憶“表示を選択すると、図１０に示す表示が行われるので、ここでＵＲＬアドレスを入力して”選択“を選択することにより、上記ユーザ環境設定モード画面、機能選択画面、行政サービス申請画面で入力／選択された各パラメータが、図１６に示すようなＨＴＭＬファイルフォーマットで、タイトル名「Ａ社製ＭＦＰ２００１Ａ１」とメニューＩＤと共に、上記指定ＵＲＬアドレスが示す記憶領域に格納されるとともに、図１７に示すように、”ＭＦＰＣｏｎｆｉｇ＝”のキーワードと共に、ユーザのホームページのＵＲＬアドレス”ｈｔｔｐ：／／ｗｗｗ．ａｂｃ．ｃｏ．ｊｐ／ｕｓｒ１／”がＰＣのＩＣカードリーダーライタに装着されたＩＣカード上に格納される。そして、図１１に示す画面表示に戻る。
【００４０】
その後、図１１の表示画面上で“選択”を選択すると、図１９のステップＳ４においてそれが検出されるのでＵＩＦシュミレーションプログラムが終了する。
【００４１】
次に、図３のＩＣカードリーダライタ付きＭＦＰの操作時における本発明の動作説明を以下に示す。
【００４２】
まず、ＭＦＰを操作する前の表示画面の状態を図１２に示す。
【００４３】
そして、ＩＣカードを装着して図１２の“ＩＣカードから呼び出す”を選択すると、図２０のフローチャートのステップＳ５を実行するので、図１７のＩＣカード内のユーザエリア上で、キーワード”ＭＦＰＣｏｎｆｉｇ＝”を検索し、このキーワードに続く文字列ｈｔｔｐ：／／ｗｗｗ．ａｂｃ．ｃｏ．ｊｐ／ｕｓｒ１／を読み出し、この文字列をＵＲＬアドレスとして解釈して、ネットワーク上のこのＵＲＬアドレスが示す記憶領域にアクセスする。
【００４４】
そして、上記記憶領域上で使用ＭＦＰの機種ＩＤである“Ａ社製ＭＦＰ２００１Ａ１”というタイトル名を持つＨＴＭＬファイルを検索して、それを読み出す。本実施例では、上記の説明において格納した図１６に示すファイルをＭＦＰ上に読み出すことになる。
【００４５】
そこで、図１６に示すように、ユーザ環境設定を示す“メニュー１“が使用言語＝日本語、音声＝ＯＦＦ、表示文字サイズ＝１２Ｐというデータが呼び出され設定されるので、図１３に示す表示が行われる。
【００４６】
そして、ここで“選択”が選択されると図１４の機能選択画面を表示する。さらに、図１４の機能選択画面において“行政サービス申請“表示を選択すると、図２０のステップＳ５、Ｓ６，Ｓ７と処理が進み、行政サービス申請画面が表示される。そこで、”ＩＣカードから呼び出す“を選択すると、上記と同様の過程を経て、ステップＳ７の処理によって、ネット上の記憶領域から、“Ａ社製ＭＦＰ２００１Ａ１”、“行政サービス申請“、“メニュー３”というキーワードに対応するパラメータ群を読み出すので、図１５に示すように、自治体＝東京都、申請＝住民票、住民基本台帳番号＝２００２ＡＢＣ０００１が設定される。その後、“選択”表示選択待ちとなるので、ここで、”選択“表示を選択すると、ステップＳ８に進み、住民票発行依頼処理を実行する。
【００４７】
（他の実施例１）
上述した第１の実施例において、ＭＦＰの各種設定パラメータデータを格納したファイルは、ＩＣカード上に記憶された、ネット上のＵＲＬアドレスで示されるユーザホームページ上の記憶領域に格納されたり、呼び出される例について説明したが、本発明はこれに限られるものではなく、ＩＣカード上に上記ネット上に格納されるべきパラメータデータ群そのものを格納し、呼び出すことも可能である。
【００４８】
この際の処理としては、図１６のネット上の記憶エリアの記憶フォーマットが、図１８のＩＣカード上の記憶フォーマットに変わるところと、アクセス手順が、ＩＣカードから読み込んだＵＲＬアドレスが示すネット上の記憶領域にアクセスするのではなく、ＩＣカード上のデータに直接アクセスして、各種パラメータデータを読み込むところが異なるだけで、他の処理は変わらないものとなる。
【００４９】
（他の実施例２）
上述した第１の実施例においては、第１図示の印刷装置の動作制御は、図１の１０４、３０３の読み出し専用メモリＲＯＭ内の制御プログラムによって実行されているが、本発明はこれに限られるものではなく、外部記憶装置に格納されている制御プログラムを内蔵ＲＡＭ上に転送して実行することも可能である。
【００５０】
以下本発明の他の実施例として、図２に示すメモリマップを参照して本発明に係る印刷制御装置を適用可能な印刷システムで読み出し可能なデータ処理プログラムの構成について説明する。
【００５１】
図２は本発明に係る印刷制御装置を適用可能な印刷システムで読み出し可能な各種データ処理プログラムを格納する記憶媒体のメモリマップを説明する図である。
【００５２】
なお、特に図示しないが、記憶媒体に記憶されるプログラム群を管理する情報、例えばバージョン情報、作成者等も記憶され、かつ、プログラム読み出し側のＯＳに依存する情報、例えばプログラムを識別表示するアイコン等も記憶される場合もある。
【００５３】
さらに、各種プログラムに従属するデータも上記ディレクトリに管理されている。また、各種プログラムをコンピュータにインストールするプログラムが圧縮されている場合に、解凍するプログラムも記憶される場合もある。
【００５４】
以上のように、前述した実施例の機能を実現するソフトウェアのプログラムコードを記録した記憶媒体を、システムに供給し、そのシステムが記憶媒体に格納されたプログラムコードを読み出し実行することによっても、本発明の目的が達成されることは言うまでもない。
【００５５】
この場合、記憶媒体から読み出されたプログラムコード自体が本発明の新規な機能を実現することになり、そのプログラムコードを記憶した記憶媒体は本発明を構成することになる。
【００５６】
プログラムコードを供給するための記憶媒体としては、例えば、フロッピー（Ｒ）ディスク、ＭＯ、ＣＤ−ＲＯＭ、ＤＶＤ−ＲＯＭ等を用いることができる。
【００５７】
【発明の効果】
以上説明したように、本発明によれば、ＩＣカードとオンラインユーザインタフェイスシュミレータを利用することにより、使用方法が複雑化した多機能コピア等の電子機器を公共の場所で使用する際に、容易に、そして、能率的に利用できる効果が得られる。
【図面の簡単な説明】
【図１】本発明の一実施形態を示す多機能コピアの構成を説明するブロック図である。
【図２】本発明に係る多機能コピアで読み出し可能な各種データ処理プログラムを格納する記憶媒体のメモリマップを説明する図である。
【図３】本発明の概略を説明するブロック図である。
【図４】ＩＣカードリーダライタ付きＰＣの表示画面例を示す図である。
【図５】ＩＣカードリーダライタ付きＰＣの表示画面例を示す図である。
【図６】ＩＣカードリーダライタ付きＰＣの表示画面例を示す図である。
【図７】ＩＣカードリーダライタ付きＰＣの表示画面例を示す図である。
【図８】ＩＣカードリーダライタ付きＰＣの表示画面例を示す図である。
【図９】ＩＣカードリーダライタ付きＰＣの表示画面例を示す図である。
【図１０】ＩＣカードリーダライタ付きＰＣの表示画面例を示す図である。
【図１１】ＩＣカードリーダライタ付きＰＣの表示画面例を示す図である。
【図１２】ＩＣカードリーダライタ付きＭＦＰの表示画面例を示す図である。
【図１３】ＩＣカードリーダライタ付きＭＦＰの表示画面例を示す図である。
【図１４】ＩＣカードリーダライタ付きＭＦＰの表示画面例を示す図である。
【図１５】ＩＣカードリーダライタ付きＭＦＰの表示画面例を示す図である。
【図１６】サーバ内のユーザホームページ上にユーザ環境設定ファイルが格納されている一例を示す図である。
【図１７】ＩＣカード上に記録されているＵＲＬアドレスデータの記憶フォーマットの一例を示す図である。
【図１８】ＩＣカード内に格納されているユーザ環境設定ファイルの一例を示す図である。
【図１９】本実施の形態に係る印刷システムの動作の流れを示すフローチャートである
【図２０】本実施の形態に係る印刷システムの動作の流れを示すフローチャートである。
【図２１】図１に示す印刷システムにおける印刷装置本体の縦断面図である。
【符号の説明】
１０１  通信制御コントローラ
１０３  ＣＰＵ
１０４  ＯＳ／各種制御ソフト内臓ＲＯＭ
１０５  ＲＡＭ
１０６  スキャナコントローラ
１０７  タッチパネルキーボードコントローラ
１０８  ＩＣカード読み取り装置用コントローラ
１０９  プリンタコントローラ
１１０    システムバス
１１１  スキャナ装置
１１２  タッチパネルキーボード
１１３  ＩＣカード読み取り書き込み装置
２００  内部接続ケーブル
３０１  ＣＰＵ
３０２  ＲＡＭ
３０３  プログラムＲＯＭ
３０４  入力バッファ
３０５  ページメモリ
３０６  エンジンインターフェイス
３０７  印刷装置本体
【図１】
2004186961.tif 000003
【図２】
2004186961.tif 000004
【図３】
2004186961.tif 000005
【図４】
2004186961.tif 000006
【図５】
2004186961.tif 000007
【図６】
2004186961.tif 000008
【図７】
2004186961.tif 000009
【図８】
2004186961.tif 000010
【図９】
2004186961.tif 000011
【図１０】
2004186961.tif 000012
【図１１】
2004186961.tif 000013
【図１２】
2004186961.tif 000014
【図１３】
2004186961.tif 000015
【図１４】
2004186961.tif 000016
【図１５】
2004186961.tif 000017
【図１６】
2004186961.tif 000018
【図１７】
2004186961.tif 000019
【図１８】
2004186961.tif 000020
【図１９】
2004186961.tif 000021
【図２０】
2004186961.tif 000022
【図２１】
2004186961.tif 000023